(57)【特許請求の範囲】
【請求項１】
室内床面に、導電性素材で構成した多数の脚部を所定間隔毎に立設して、端側に位置する脚部と躯体内の鉄骨類とを電気的に接続する構成とすると共に、前記脚部間の間隔に対応した寸法の導電性パネルで構成した多数のフロアユニットをそれぞれ当接させて、
４枚のフロアユニットの当接隅部のそれぞれを前記脚部により支持する構成とし、
当接する４枚のフロアユニットの当接隅部のそれぞれには、当接させた状態において導電性ボルトを挿通させる挿通部を構成する扇形欠部と、導電性ボルトの頭部を収容する収容部を構成する肉薄部を形成すると共に、前記脚部の上部には導電性ボルトを螺着する固定孔を形成し、
多数のフロアユニットを当接させて当接隅部のそれぞれに構成される挿通部を通して導電性ボルトを螺着することにより、それぞれのフロアユニットの当接隅部の肉薄部を、収容部に収容された導電性ボルトの頭部と、脚部の上部とにより挟持して一体に固定すると同時に、電気的に導通状態とする構成とし、
更に前記脚部の高さ方向の中間位置の外周部の十字方向に接地端子板を突設し、隣接する脚部の接地端子板間、導電材を端子ボルトにより順次連結して格子状とする構成としたことを特徴とするＯＡ機器の接地機能を高めたフロア。
【発明の詳細な説明】
【技術分野】
【０００１】
本発明は、ＯＡ機器等の表面に生じた漏洩電流や、誤動作の要因ともなる有害な静電気等を除去するのに効果的な、ＯＡ機器の接地機能を高めたフロアに関するものである。
【背景技術】
【０００２】
現代の社会は、周知のように情報化社会であり、職場は勿論、家庭においてもさまざまな情報機器で満ちあふれ、これら情報機器の恩恵なしでは成り立たない世の中となっている。
そのために、建物内は、情報機器を扱うのにふさわしい使用環境とする施工がなされていることが望ましい。
例えば、ＯＡ機器が設置される室内は、設置されるＯＡ機器に生じる漏洩電流、電波、静電気は、誤動作の要因ともなるので、ＯＡ機器から建物の躯体鉄骨に通ずる接地をすることが必要となる。そのために、例えば、室内でフロアを介してＯＡ機器を接地させる場合、
（１）各ＯＡ機器毎、接地線を分電盤まで配線するようにしていた。
また、電算室などで共用接地をとる場合、
（２）ＯＡフロア内に格子状に導電材を布設して、この格子状の導電材に対し、接地をとるようにしていた。
【０００３】
その他、建物の接地構造として
（３）
【特許文献１】（特開２００５−７８９３６）が開示されている。  ここでは、建物基礎の内側に沿って埋設した内側の接地電極の間を導電体で接続し、その導電体と建物に設けた接地端子を別の導電体で接続するようにしている。
【０００４】
なお、室内に設置されるＯＡ機器に対し、周囲からの有害な様々な電波類を遮断する一方、周囲に電磁波が漏洩しないようにする構成を開示した、
（４）
【特許文献２】（特開２００２−１２９６７３）がある。  ここでは、複数の床パネルを床スラブに立てた支持脚で支えて布設するＯＡフロアにおいて、床パネルを導電性にして、相互間を導電体で接合すると共に、床パネルの端部を壁側の電磁波シールド体に導電体で接合することで、電磁波シールドフロアを、簡敏な手段によって廉価に構成し、これによって電磁波シールド空間を新規もしくはリフォームで容易に構築することができるとしている。
【発明の開示】
【発明が解決しようとする課題】
【０００５】
しかしながら上述のような手段のうち、（１）の手段では、各ＯＡ機器を接地する場合、各機器ごとに接地線を分電盤まで配線しなければならない。
また（２）の手段では、室内を電磁波シールド空間とするために、床のみならず、壁面までもをＯＡフロアに格子状に導電材を布設して、ＯＡフロア脚部に半田溶接するため、布設コストが上がる。
また（３）の建物の接地構造では、建物自体の接地構造を課題としたもので、建物基礎の外側、内側に接地電極を設けて、建物に設けた接地端子と電気的に接続したり、また、建物基礎の一部を導電性コンクリートで構成して接地電極として利用することで、低い接地抵抗値を得るというものであり、室内に設置するＯＡ機器等の接地の仕方を合理的にするというものではない。
さらに（４）の手段は、接地手段を開示したものではなく、あくまで周囲からの有害な様々な電波類を遮断する一方、周囲に電磁波が漏洩しないようにするための構成であり、床面に導電性パネルを用いているものの、躯体との電気的接続構成、すなわち接地構成は開示されているわけではない。
本発明はこのような背景から提案されたものであって、ＯＡ機器等の表面に生じた漏洩電流や、誤動作の要因ともなる有害な静電気等を除去するのに効果的な、ＯＡ機器の接地機能を高めたフロアを提供することを目的とする。
【課題を解決するための手段】
【０００６】
前記した課題を解決するために、本発明では、請求項１において、室内床面に、導電性素材で構成した多数の脚部を所定間隔毎に立設して、端側に位置する脚部と躯体内の鉄骨類とを電気的に接続する構成とすると共に、前記脚部間の間隔に対応した寸法の導電性パネルで構成した多数のフロアユニットをそれぞれ当接させて、
４枚のフロアユニットの当接隅部のそれぞれを前記脚部により支持する構成とし、
当接する４枚のフロアユニットの当接隅部のそれぞれには、当接させた状態において導電性ボルトを挿通させる挿通部を構成する扇形欠部と、導電性ボルトの頭部を収容する収容部を構成する肉薄部を形成すると共に、前記脚部の上部には導電性ボルトを螺着する固定孔を形成し、
多数のフロアユニットを当接させて当接隅部のそれぞれに構成される挿通部を通して導電性ボルトを螺着することにより、それぞれのフロアユニットの当接隅部の肉薄部を、収容部に収容された導電性ボルトの頭部と、脚部の上部とにより挟持して一体に固定すると同時に、電気的に導通状態とする構成とし、
更に前記脚部の高さ方向の中間位置の外周部の十字方向に接地端子板を突設し、隣接する脚部の接地端子板間、導電材を端子ボルトにより順次連結して格子状とする構成としたＯＡ機器の接地機能を高めたフロアを提案する。
【発明の効果】
【０００７】
本発明によれば、ＯＡ機器等の表面に生じた漏洩電流や、誤動作の要因ともなる有害な静電気等を除去するのに効果的な、ＯＡ機器の接地機能を高めたフロアを提供することができる。
【０００８】
請求項１によれば、ＯＡ機器を設置する室内の床面に、フロアを施工する際、床面上に立設された一つの脚部上に、脚部間の間隔に合わせた寸法のフロアユニットを、それぞれ隅部を当接させた状態で、隅部を介して、導電性接続手段を、前記脚部上に固定することでフロアに接地機能をもたらすことができる。
【０００９】
請求項２によれば、ＯＡ機器の接地線を最寄りの脚部における接地端子板に接続することで、ＯＡ機器の接地が完了する。
【００１０】
請求項３によれば、ＯＡ機器の接地線を、最寄りのフロアユニット背面の接地端子に接続することで、ＯＡ機器の接地が完了する。
【００１１】
請求項４によれば、前記脚部の外周部十字方向の接地端子板間を導電材で連結することで、これまでのようにＯＡフロア内に格子状に導電材を布設する工程に比較して、接地コストを抑制することができる。
【発明を実施するための最良の形態】
【００１２】
以下、本発明にかかるＯＡ機器の接地機能を高めたフロアにつき、一つの実施の形態を挙げ、添付の図面に基づいて説明する。
図１、図２に本発明にかかるＯＡ機器Ｐ（パソコン、電算機等）の接地機能を高めたフロア１の一例を模式的に示す。
このフロア１は、室内２を仕切る建物の躯体３の床面４に、多数の脚部５を所定間隔毎に立設し、これら脚部５上に、脚部５間の間隔に対応した寸法の多数のフロアユニット６を、導電性接続手段（後述）により、互いに一体状に電気的に接続した状態で支持して構成している。
そして前記脚部５において、端側に位置する脚部５と躯体３内部の鉄骨類とを絶縁ケーブルＣｂで電気的に接続する構成としている。
なお、前記フロア１下には、図示は省略するが、予め周知の床下電源供給システムが構築され、フロア１上の任意の位置に設置されるＯＡ機器Ｐに電源を供給するようにしている。
【００１３】
前記脚部５は、導電性素材（鋼製）の円柱部材であり、上下にフランジ部５ｆ，５ｆを設けている。 これら上下のフランジ部５ｆ，５ｆのうち、上部フランジ部５ｆには、フロアユニット６を一体状に接合すべく、後述する導電性接続手段をフロアユニット６を介して螺着する固定孔５ｈを形成している（図３参照）。
【００１４】
前記フロアユニット６は、一辺が、隣接する前記脚部５間の間隔に合わせた寸法の方形ないしは正方形パネルであり、周知の導電性部材を用いている。すなわち前記フロアユニット６は、例えばアルミダイカスト、鋼板をプレス加工して構成することができる。また前記フロアユニット６は、パーティクルボード等を芯材として、これを金属薄板で被覆して構成することもできる。
また、前記フロアユニット６の隅部６Ｅには、導電性接続手段である導電性ボルト７を脚部５の上部フランジ部５ｆに螺着する際に、頭部７ｈをフロアユニット６表面と段差なくもたらすために、この頭部７ｈをフロアユニット６の表面よりも下方に収容するための収容部を構成する肉薄部６ｔを形成すると共に、角部に前記導電性ボルト７の軸部７ａを挿通させるための挿通部を構成する扇形欠部６ｂを形成している。
【００１５】
以上のように構成するフロアユニット６を、互いに一体状に接合する際、当接隅部６Ｅを、導電性ボルト７を介して、それぞれ脚部５に固定し、一面電気的に導通する構成としている。
なお、フロアユニット６を、互いに一体状に接合した際、フロアユニット６表面には、表装材として周知のタイルカーペットＣを布設することができる。
【００１６】
本発明にかかるＯＡ機器の接地機能を高めたフロアは、以上のように構成されるものであり、次にフロア１の施工手順を説明する。
ＯＡ機器Ｐを設置する室内２の床面４に、フロア１を施工する際、床面４上に立設された一つの脚部５の上部フランジ部５ｆに、一辺が、脚部５間の離隔距離に合わせたフロアユニット６を４枚、それぞれ隅部６Ｅを当接させた状態で、これら隅部６Ｅを位置合わせ、この位置合わせた隅部６Ｅを介して、導電性ボルト７を、前記脚部５の上部フランジ部５ｆにおける固定孔５ｈに螺着することで固定される。
【００１７】
前記フロアユニット６を４枚、それぞれ隅部６Ｅを当接させると、それぞれのフロアユニット６の隅部６Ｅにおける肉薄部６ｔと扇形欠部６とによって前記導電性ボルト７を挿通すべき余地、即ち前記挿通部がもたらされ、前記導電性ボルト７を挿通して脚部５の上部フランジ部５ｆにおける固定孔５ｈに螺着することができ、前記導電性ボルト７の頭部７ｈが、肉薄部６ｔにより構成される空間、即ち収容部に収容されることにより、フロアユニット６表面と段差ない状態で導電性ボルト７により、前記フロアユニット６を４枚固定することができる。
【００１８】
このようにして順次、それぞれの当接させた隅部６Ｅをそれぞれ対応する脚部５の上部フランジ部５ｆに導電性ボルト７により固定することで、フロアユニット６を一体状に接合し、脚部５上に装着を完了することができる。
なお、このようにフロア１を施工する際、端側に位置する脚部５と躯体３内の鉄骨類とを絶縁ケーブルＣｂで電気的に接続してあるので、フロア１を上述のごとく施工するだけで、フロア１全体が躯体３と電気的に接続された状態となる。
従って、フロア１全体が接地体として機能することができ、ＯＡ機器Ｐを何れの箇所に設置しても、フロア１の任意の箇所に接地が可能で、設置自由度の高い、ＯＡ室としてオフィス設計に最大限の自由度をもたらすことができる。
【００１９】
本発明にかかるＯＡ機器の接地機能を高めたフロアは、以下のように構成することもできる。
この場合、脚部５の外周中間には、前記ＯＡ機器Ｐからの接地線Ｅｌを接続するための接地端子板５ｔ，５ｔを一対、突設している（図１参照）。なお、前記接地線Ｅｌは、例えば脚部５近傍に設けた適宜な開口部（図示省略）を介して、前記接地端子板５ｔ，５ｔに、端子ボルト（図示省略）等の連結手段で接続することができる。
【００２０】
このような手段によっても、ＯＡ機器Ｐを任意の位置に設置することができ、ＯＡ機器Ｐの接地線Ｅｌは、最寄りの脚部５の接地端子板５ｔと接続するだけで、フロア１全体が、躯体３と電気的に接続された状態であり、接地を完了することができる。
【００２１】
また、本発明にかかるＯＡ機器の接地機能を高めたフロアは、次のように構成することもできる。
ＯＡ機器Ｐの接地する手段として、フロアユニット６背面に接地端子６ｔを設けることも可能である（図４参照）。
【００２２】
このようにすれば、室内に設置したＯＡ機器Ｐを接地する際、最寄りの前記フロアユニット６背面の接地端子６ｔに、端子ボルト等で接地線Ｅｌを接続すれば接地作業を完了することができる。
【００２３】
さらに前記脚部５の外周部の十字方向に接地端子板５ｔ，５ｔを突設し、これら接地端子板５ｔ，５ｔ間を導電材８（導電線）で連結して端子ボルトで固定すると共に、端側に位置する脚部５の接地端子板５ｔと躯体３壁面における鉄骨類とを、絶縁ケーブルＣｂを介して電気的に接続する構成とすることもできる（図５参照）。
【００２４】
このように構成することにより、脚部５各々に外周部の十字方向に接地端子板５ｔ，５ｔを突設したから、これら接地端子板５ｔ，５ｔ間を導電材８、端子ボルトで接続することで、全体が格子状に導体を張り巡らせた状態となり（図６参照）、従来のような半田溶接は不要となり、施工が容易となり、布設コストを抑制することができる。
【図面の簡単な説明】
【００２５】
【図１】本発明にかかるＯＡ機器の接地機能を高めたフロアの一例を示す断面図である。
【図２】図１に示すフロアの平面図である。
【図３】図１に示すフロアに用いられる脚部の斜視図である。
【図４】本発明にかかるＯＡ機器の接地機能を高めたフロアの別例を示す断面図である。
【図５】本発明にかかるＯＡ機器の接地機能を高めたフロアの別例を示す断面図である。
【図６】図５に示すフロアの平面図である。
【符号の説明】
【００２６】
１                        フロア
２                        室内
３                        躯体
４                        床面
５                        脚部
５ｆ                      フランジ部
５ｈ                      固定孔
６                        フロアユニット
６Ｅ                      隅部
６ｔ                      肉薄部
６ｂ                      扇形欠部
７                        導電性ボルト
７ｈ                      頭部
７ｂ                      軸部
８                        導電材
Ｐ                        ＯＡ機器
Ｃｂ                      絶縁ケーブル
Ｃ                        タイルカーペット
Ｅｌ                      接地線
【図１】
0004792265.tif 000002
【図２】
0004792265.tif 000003
【図３】
0004792265.tif 000004
【図４】
0004792265.tif 000005
【図５】
0004792265.tif 000006
【図６】
0004792265.tif 000007